(57)【要約】【課題】露出される部分の経年劣化がほとんどなく、点検や保守、交換の必要性の低い雪止め具を提供する。【解決手段】雪止め具１Ａは、雪止め本体部２Ａと、該雪止め本体部２Ａより延設され、屋根に取付、固定する取付部３Ａとよりなり、少なくとも雪止め本体部２Ａの基材表面であって、衝撃が加わる箇所を除き、施工後に外観上露出される部分にホーロー被膜が形成されている。【選択図】図１
2010126937.tif 000002
【特許請求の範囲】
【請求項１】
雪止め本体部と、該雪止め本体部より延設され、屋根に取付、固定する取付部とよりなる雪止め具において、
少なくとも上記雪止め本体部の基材表面であって、衝撃が加わる箇所を除き、施工後に外観上露出される部分にホーロー被膜が形成されていることを特徴とする雪止め具。
【発明の詳細な説明】
【技術分野】
【０００１】
本発明は、屋根に設置して使用される雪止め具に関するものである。
【背景技術】
【０００２】
雪止め具は、従来より種々の形状のものが提案されているが、多くのものは大略的に、屋根に設置および載置可能な基板と、その基板の前端に起立形成された雪止め片とを有した構成とされる。また、これらの雪止め具は、一般的に、機械的強度や耐食性を考慮して、ステンレス板、鋼板、亜鉛系等の各種メッキ鋼板で製されている（例えば、特許文献１を参照）。
【特許文献１】特開２００８−２５３１３号公報
【発明の開示】
【発明が解決しようとする課題】
【０００３】
ところで、雪止め具は、基板の後端を野地板と瓦の間の空間に配して野地板に固定する構造であるため、基板の後端を含む雪止め具の後部は設置後、瓦によって隠されるが、雪止め具の主機能を担う雪止め片等を含む雪止め具の前部は、設置後は常時、露出されている。この露出された部分については、雪、雨、太陽光および熱等の過酷な環境のもとで一年中さらされているから、上記のようにメッキを施す程度では劣化を防止することはできず、早期の点検や保守、交換を必要としていた。
【０００４】
また、雪止め具は実用性がもっとも重視され、また上記のように表面劣化の進行が早いため、従来では、全体形状にデザイン性を持たせることはあっても、色、柄、模様等を表面に施すことまではなされていなかった。
【０００５】
本発明は、このような事情を考慮して提案されたもので、露出される部分の経年劣化がほとんどなく、点検や保守、交換の必要性の低い雪止め具を提供することにある。さらに、色、柄、模様等を施すことができ、かつ、それらを長期間にわたって維持できる雪止め具を提供することも、本発明の目的に含まれる。
【課題を解決するための手段】
【０００６】
上記目的を達成するために、請求項１に記載の雪止め具は、雪止め本体部と、該雪止め本体部より延設され、屋根に取付、固定する取付部とよりなる雪止め具において、少なくとも雪止め本体部の基材表面であって、衝撃が加わる箇所を除き、施工後に外観上露出される部分にホーロー被膜が形成されていることを特徴とする。
【発明の効果】
【０００７】
請求項１に記載の雪止め具によれば、少なくとも雪止め具の基材表面の施工後に外観上露出される部分にホーロー被膜が形成されているので、ホーローの耐久性、耐酸性、耐食性、耐摩耗性等によって、表面の経年劣化を防止でき、長期間にわたって美観を維持でき、点検や保守、交換の回数を少なくすることができる。
【０００８】
さらに、雪止め本体部のうち、曲げ等の加工箇所や、釘等の固定具の打ち付け対象となる打撃箇所等の衝撃対象部位を除外してホーロー被膜が形成されているため、ホーロー被膜の形成後、例えば施工時の加工や打撃によって被膜が剥離するおそれはなく、かつ、ホーロー被膜は経年劣化するおそれがないので、半永久的に外観を保持できる。
【０００９】
また、雪止め本体部の表面にはホーロー被膜による色、柄、模様を施すことができ、さらに、そのようなデザイン性のある表面を長期間にわたって維持させることができる。
【発明を実施するための最良の形態】
【００１０】
以下に、本発明の種々の実施形態について、添付図面を参照しながら説明する。なお、以下には複数の実施形態を示しているが、いずれの雪止め具も、主たる素材はステンレス等の金属とされる。
【００１１】
図１は本発明の第１の実施形態に係る雪止め具の斜視図、図２は同雪止め具の側面図である。また、図３は、同雪止め具を屋根（瓦）に設置した状態を示す概略縦断面図である。
【００１２】
この雪止め具１Ａは、長板状のステンレス板等の金属板を板金加工してなるもので、前部には金属板を折り曲げてなる雪止め片１１と、その後方に延びる平板部１２が形成され、平板部１２の後方には、段部１３を介して、釘孔１４ａが開設された取付固定部１４が形成されている。
【００１３】
雪止め片１１には、先端で鋭角的に折り返されて傾斜部１１ｂが形成され、さらに折り返されて、積雪の滑落を直接的に防止する機能を担う起立片１１ａが形成され、その下端で折り曲げられて接合片１１ｃが形成されている。この接合片１１ｃを平板部１２の上面に固着して、雪止め片１１を固定している。
【００１４】
この雪止め具１Ａにおいて、積雪の滑落防止機能を有した雪止め本体部２Ａは、上記構成部分のうちの雪止め片１１と平板部１２とより構成され、一方、屋根への取付機能を有した取付部３Ａは、上記構成部分のうちの段部１３と取付固定部１４とより構成されている。
【００１５】
この雪止め具１Ａは、図３に示すように、おもに平板瓦よりなる屋根に使用され、屋根（野地板Ｎ）に設置された瓦Ｋに対して、平板部１２の裏面が瓦Ｋの表面に密接し、かつ取付固定部１４の裏面が野地板Ｎに密接するように、段部１３と瓦Ｋの後端部Ｋａとで位置決めされた状態に配されている。また、取付固定部１４は野地板Ｎに釘Ｐ等の固定具で固定され、平板部１２の後部が、雪止め具１Ａを設置した瓦Ｋと後方の瓦ＫＲとの重ね合わせによって挟み込まれている。
【００１６】
本実施形態に示した雪止め具１Ａでは、図１〜図３に示した範囲矢印Ｘで示すように、施工後に外観上露出される部分、つまり雪止め本体部２Ａのうち、瓦Ｋと後方の瓦ＫＲの重ね合わせで隠される平板部１２の後部を除く部分であって、瓦Ｋに密接する裏面を除いた箇所にはホーロー被膜が形成されている。
【００１７】
ホーロー被膜は、二酸化珪素を主成分とするガラス質の釉薬を窯や電気炉等で、高温で焼成して基材表面に形成したもので、耐久性、耐酸性、耐食性、耐摩耗性、保湿性があり、美しい色合いとガラス様の光沢を表出することができる。また、例えば七宝焼きのごとく、装飾模様を形成することもできる。そして、その被膜はガラス質であるため、化学反応を起こさず、雪や風、太陽光、熱など過酷な環境下にさらされても、変色等、経年劣化するおそれはない。また、着色のためにチタン等の金属を含有させてもよい。
【００１８】
このように、雪止め具１Ａは基材表面にホーロー被膜が形成されているので、色あせ、さび等の経年劣化を惹起するおそれがなく、ガラス様、エナメル様の美観にすぐれた表面を半永久的に維持させることができる。例えば、屋根瓦に合わせて目立たないように形成したホーロー被膜や、逆に色、柄、模様を施して装飾性を持たせたホーロー被膜を施した場合でも、経年による再塗装の必要性はない。したがって、雪止め具１Ａの基材表面のメンテナンスは汚れを拭き取る程度でよく、ほとんど手間がかからない。
【００１９】
また、ホーロー被膜は、屋根への取り付けに際して曲げ加工したり固定具止めしたりする箇所や、取り付け後に瓦との擦れが生じる箇所には形成しないほうが望ましく、そのような箇所を除外して被膜形成することで、加工、打撃等の基材への衝撃によって被膜が剥離することを防止できる。
【００２０】
図１の例では、雪止め本体部２Ａのうち、平板部１２の瓦Ｋと、後方の瓦ＫＲとの間に挟まれた重ね合わせ部分は露出されないので、その部位にはホーロー被膜を形成していない。なお、平板部１２の上記重ね合わせ部分にもホーロー被膜を形成してもよいが、雪止め具１Ａの取付施工時等に、後方の瓦ＫＲによる擦れや接触等の衝撃によって被膜に傷がつくことを想定すれば、形成しないほうが望ましい。
【００２１】
また、本例では、折返し形成によってできた空間に面する雪止め片１１の内側面は、外観上ほとんど見えないのでホーロー被膜を形成しなくてもよいし、雪止め本体部２Ａであっても、屋根瓦に設置する際に瓦の形状に合わせてハンマー等の打撃によって形状調整が必要な箇所にはホーロー被膜を形成しないほうが望ましい。なお、接合片１１ｃと平板部１２との接合箇所は、現場施工の前にあらかじめリベットあるいは溶接で固着されているため、現場での加工調整の必要がない限りは、外観上、目立つ箇所であることからホーロー被膜を形成するほうが好ましい。
【００２２】
図４は本発明の第２の実施形態に係る雪止め具の斜視図、図５（ａ）は同雪止め具の正面図、図５（ｂ）は同側面図である。また、図６は同雪止め具を屋根瓦に設置した状態を示す概略縦断面図である。図７（ａ）は、同雪止め具を複数、連設型の屋根瓦に設置した状態を示す平面図、図７（ｂ）は同正面図である。
【００２３】
この雪止め具１Ｂは、図７（ｂ）に示すように、おもに和瓦等の表面を波形に形成した瓦に使用され、長板状のステンレス板等の金属板を板金加工してなる基板部２２に、別体のステンレス板等の金属板を加工してなる雪止め片２１を連結して構成されている。
【００２４】
この雪止め片２１は、図５（ａ）に示すように、上縁が弧形状とされた扇部２１ａに、両翼部２１ｂが付加された形状となっており、上縁および下縁には相互に逆方向に突出する上縁リブ２１ｃおよび下縁リブ２１ｄが形成され、さらに中央部には、正面視で上縁に沿った形状の凸段部２１ｅが前方に突出形成されている。上縁リブ２１ｃと凸段部２１ｅは、大量の積雪を堰き止めるのに十分に耐えられるように、補強リブとして設けられたものであり、下縁リブ２１ｄは瓦Ｋへの載置板として使用されるもので、その載置面は瓦Ｋの湾曲凹部面（図７（ｂ）を参照）に合わせて湾曲形成されている。
【００２５】
なお、上縁の正面形状は、雪止め作用を十分に発揮させるためのものであるが、その湾曲した弧形状によって、波形形状の和瓦にマッチした純和風の意匠性を醸し出している。
【００２６】
一方、基板部２２は前端が起立形成され、その起立接合片２３と、その後方に延出される平板部２４と、倒コ字状の重ね合わせ係合部２５と、釘孔２６ａが開設された取付固定部２６とより一体成形されている。この起立接合片２３に雪止め片２１がリベット等で固着されている。
【００２７】
この雪止め具１Ｂにおいて、積雪の滑落防止機能を有した雪止め本体部２Ｂは、上記構成部分のうちの雪止め片２１と平板部２２とより構成され、一方、屋根への取付機能を有した取付部３Ｂは、上記構成部分のうちの重ね合わせ係合部２５と取付固定部２６とより構成されている。
【００２８】
この雪止め具１Ｂは、屋根（野地板Ｎ）に載置された瓦Ｋに対して、平板部２４が瓦Ｋの表面に載置され、取付固定部２６が野地板Ｎに密接するように、重ね合わせ係合部２５と瓦Ｋの後端部とが係合された状態に配されている。また、取付固定部２Ｂは野地板Ｎに釘Ｐ等の固定具で固定され、重ね合わせ係合部２５と平板部２４の後部とが、雪止め具１Ｂを設置した瓦Ｋと後方の瓦ＫＲとの重ね合わせによって挟み込まれている。
【００２９】
本実施形態に示した雪止め具１Ｂでは、図４〜図６に示した範囲矢印Ｙで示すように、施工後に外観上露出される部分、つまり雪止め本体部２Ｂのうち、瓦Ｋと後方の瓦ＫＲとの重ね合わせで隠される平板部２４の後部を除く部分であって、瓦Ｋに接触する裏面を除いた箇所にはホーロー被膜が形成されている。
【００３０】
本実施形態においては、第１の実施形態と同様の効果が得られることはいうまでもない。さらに、ホーロー被膜が種々の色、柄、模様等が付加できることを利用して、雪止め片１１の前面に色、柄、模様等を施せば、雪止め片１１の形状の意匠性に加えて、さらなるデザイン性の豊かな雪止め具を形成することができる。また、それらのデザインはホーロー被膜で形成されているため、保守することなく半永久的に保持できる。
【図面の簡単な説明】
【００３１】
【図１】本発明の第１の実施形態に係る雪止め具の斜視図である。
【図２】同雪止め具の側面図である。
【図３】同雪止め具の使用状態を示した概略縦断面図である。
【図４】本発明の第２の実施形態に係る雪止め具の斜視図である。
【図５】（ａ）は同雪止め具の正面図、（ｂ）は側面図である。
【図６】同雪止め具の使用状態を示した概略縦断面図である。
【図７】（ａ）は同雪止め具の使用状態を示した平面図、（ｂ）は同正面図である。
【符号の説明】
【００３２】
（第１の実施形態）
１Ａ      雪止め具
２Ａ      雪止め本体部
１１      雪止め片
１２      平板部
３Ａ      取付部
１３      段部
１４      取付固定部
（第２の実施形態）
１Ｂ      雪止め具
２Ｂ      雪止め本体部
２１      雪止め片
２３      起立接合片
２４      平板部
３Ｂ      取付部
２５      重ね合わせ係合部
２６      取付固定部
Ｋ      瓦
Ｎ      野地板（屋根）
【図１】
2010126937.tif 000003
【図２】
2010126937.tif 000004
【図３】
2010126937.tif 000005
【図４】
2010126937.tif 000006
【図５】
2010126937.tif 000007
【図６】
2010126937.tif 000008
【図７】
2010126937.tif 000009